(57)【要約】      （修正有）【課題】湾曲したり伸びたりし、頭髪を挿入し、両端を係合させることで、便利に頭髪を束ね、シニヨン、ポニーテールなどの髪型を作り、頭髪の量に合わせて変形させることにより、便利にスタイリングを行うことができる調髪具を提供する。【解決手段】調髪具１は、帯状の波状弾性部１３と、波状弾性部１３の両端に形成される接合部１１、１２と、波状弾性部１３上に形成させる挟持孔１４とを有する。一端の接合部１１には係合片１１１が、他端の接合部１２には、フック溝１２２を有する穿孔１２１が形成される。【選択図】図１
0003168293.tif 000002
【実用新案登録請求の範囲】
【請求項１】
調髪具本体を有し、
前記調髪具本体の両端には、互いに接続される接合部がそれぞれ形成され、
前記接合部の間には、湾曲したり伸びたりする波状弾性部が設けられ、
前記波状弾性部上には、頭髪を挿入する挟持孔が開設されることを特徴とする調髪具。
【請求項２】
前記調髪具本体は、一端の前記接合部に係合片が形成され、他方の端の前記接合部に、前記係合片に対応するように穿孔が形成され、前記穿孔には、フック溝が設けられることを特徴とする請求項１に記載の調髪具。
【請求項３】
前記調髪具本体の前記接合部は、互いに対応する係合部であることを特徴とする請求項１に記載の調髪具。
【考案の詳細な説明】
【技術分野】
【０００１】
本考案は、調髪具に関し、特に、湾曲したり伸びたりし、頭髪を挿入して束ね、スタイリングを行うのに便利な調髪具に関する。
【背景技術】
【０００２】
髪型の変化は、美容師による理髪方法の違いのほか、ヘアバンド、ヘアピン、スタイリングジェルなどの調髪用具によることも多い。調髪用具を用いると、異なる場面や衣服に合った髪型を作ることができる。
【０００３】
従来の調髪用具としては、例えば、特許文献１による「頭髪セット装置」が開示されている。特許文献１の「頭髪セット装置」は、可撓性を有し湾曲する材料からなる頭髪セット装置本体を有する。本体の中央には、挟持部が設けられ、本体の両側には、互いに分離されたり組み合わせられたりする第１の接合部及び第２の接合部が設けられている。本体の挟持部の周縁には、リング部が設けられている。リング部は切欠きを有し、切欠きの両端には、互いに分離されたり組み合わせられたりする第３の接合部及び第４の接合部が対応するように設けられていることである。リング部の第３の接合部及び第４の接合部が組み合わせられると、切欠きを有さない挟持部が形成される。第３の接合部及び第４の接合部が分離されると、頭髪が挟持部に挿入されやすく、第３の接合部及び第４の接合部が組み合わせられると、頭髪は、安定して挟持部に挟持される。頭髪を束ねた後、本体を回転させると、頭髪はカール状をなし、第１の接合部及び第２の接合部が組み合わせられると、頭髪はリング状をなすようにセットされる。
【０００４】
しかし、上述の頭髪セット装置は、使用上、以下のような問題点がある。
（１）頭髪を本体の挟持部に挿入し、第３の接合部及び第４の接合部を組み合わせ、挟持部で頭髪を束ねた後、本体を回転させることで、頭髪がカール状をなす。さらに、第１の接合部及び第２の接合部を組み合わせると、頭髪が束ねられセットされる。しかし、第３の接合部及び第４の接合部並びに第１の接合部及び第２の接合部を組み合わせる動作は、正確に操作する必要であり、ユーザが様々な髪型を作るとき不便である。
（２）可撓性を有し湾曲する材料からなるが、弾性構造が用いられていないため、長期にわたり使用すると、変形したり折れたりする虞がある。
【先行技術文献】
【特許文献】
【０００５】
【特許文献１】台湾実用新案登録第３８６８１４号公報
【考案の概要】
【考案が解決しようとする課題】
【０００６】
本考案の目的は、湾曲したり伸びたりし、頭髪を挿入し、両端を係合させることで、便利に頭髪を束ね、シニヨン、ポニーテールなどの髪型を作り、頭髪の量に合わせて変形させることにより、便利にスタイリングを行うことができる調髪具を提供することにある。
【課題を解決するための手段】
【０００７】
上記課題を解決するために、本考案の第１の形態によれば、調髪具本体を有し、前記調髪具本体の両端には、互いに接続される接合部がそれぞれ形成され、前記接合部の間には、湾曲したり伸びたりする波状弾性部が設けられ、前記波状弾性部上には、頭髪を挿入する挟持孔が開設されることを特徴とする調髪具が提供される。
【０００８】
また、前記調髪具本体は、一端の前記接合部に係合片が形成され、他方の端の前記接合部に、前記係合片に対応するように穿孔が形成され、前記穿孔には、フック溝が設けられることが好ましい。
【０００９】
また、前記調髪具本体の前記接合部は、互いに対応する係合部であることが好ましい。
【考案の効果】
【００１０】
本考案の調髪具は、湾曲したり伸びたりし、頭髪を挿入し、両端を係合させることで、便利に頭髪を束ね、シニヨン、ポニーテールなどの髪型を作り、頭髪の量に合わせて変形させることにより、便利にスタイリングを行うことができる。
【図面の簡単な説明】
【００１１】
【図１】本考案の一実施形態による調髪具を示す斜視図である。
【図２】本考案の一実施形態による調髪具の挟持孔に頭髪を挿入したときの状態を示す斜視図である。
【図３】本考案の一実施形態による調髪具の調髪具本体で頭髪を巻き上げるときの状態を示す斜視図である。
【図４】本考案の一実施形態による調髪具の使用状態を示す斜視図である。
【図５】本考案の一実施形態による調髪具の使用状態を示す斜視図である。
【図６】本考案の一実施形態による調髪具を使用するときの状態を示す断面図である。
【図７】本考案の一実施形態による調髪具の使用状態を示す斜視図である。
【図８】本考案の他の実施形態による調髪具を示す斜視図である。
【考案を実施するための形態】
【００１２】
図１を参照する。図１に示すように、本考案の一実施形態による調髪具は、調髪具本体１を有する。調髪具本体１の両端には、接合部１１，１２が形成されている。接合部１１の末端には、係合片１１１が形成されている。接合部１２上には、係合片１１１に対応するように穿孔１２１が形成されている。穿孔１２１の側辺には、接合部１１を接合部１２に固定するためのフック溝１２２が設けられている。接合部１１と接合部１２との間には、湾曲したり伸びたりし必要な形状になる波状弾性部１３が設けられている。波状弾性部１３上には、頭髪を挿入する挟持孔１４が、センターラインに沿うように開設されている。
【００１３】
図２を参照する。図２に示すように、本考案の一実施形態による調髪具を実際に使用するとき、まず、調髪具本体１の挟持孔１４に束ねる頭髪の毛先を挿入する。図３を参照する。図３に示すように、調髪具本体１で頭髪を巻きながら後頭部まで上げる。図４〜図６を参照する。図４〜図６に示すように、調髪具本体１の波状弾性部１３を湾曲させ、接合部１２の穿孔１２１に、接合部１１の係合片１１１を挿入させ、フック溝１２２に係合させて固定すると、頭髪を束ねることができる。さらに、調髪具本体１上で頭髪を平均的に整えると、シニヨンを作ることができる。波状弾性部１３は、波状をなし、頭髪との間の摩擦力を増加させ、髪型が緩まないように安定させることができる。
【００１４】
図７を参照する。図７に示すように、束ねる頭髪の外側に調髪具本体１の波状弾性部１３を湾曲させて巻き付け、接合部１１を接合部１２に係合させると、ポニーテールを作ることができる。波状弾性部１３は、頭髪の量に応じて変形するため、スタイリングを行うに便利である。図８を参照する。図８に示すように、本考案の他の実施形態による調髪具は、調髪具本体１の両側に形成される接合部１５が、互いに対応し係合される係合部である。
【００１５】
上述したことから分かるように、本考案の調髪具は、以下（１）〜（５）の長所を有する。
（１）調髪具本体の両端には、互いに対応し、係合される接合部がそれぞれ形成され、接合部の間には、湾曲したり伸びたりする波状弾性部が設けられ、波状弾性部上には、頭髪を挿入する挟持孔が開設されているため、頭髪を束ねスタイリングを行うのに便利である。
（２）使用する際、調髪具本体の挟持孔に束ねる頭髪の毛先を挿入し、調髪具本体で頭髪を巻きながら後頭部まで上げて固定すると、必要な髪型を作ることができ、操作及びスタイリングを手軽に行うことができる。
（３）調髪具本体は、一端の接合部に係合片が形成され、他方の端の接合部に、対応するように穿孔が形成され、穿孔にフック溝が設けられていることにより、ユーザが両端を係合させ固定するのに便利である。
（４）波状弾性部は、湾曲したり伸びたりするばかりでなく、頭髪との間の摩擦力を増加させるため、髪型が緩まないように安定させることができる。
（５）波状弾性部は、頭髪の量に応じて湾曲させたり伸ばしたりし、変形させることができるため、便利にスタイリングすることができる。
【００１６】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００１７】
１  調髪具本体
１１  接合部
１２  接合部
１３  波状弾性部
１４  挟持孔
１５  接合部
１１１  係合片
１２１  穿孔
１２２  フック溝
【図１】
0003168293.tif 000003
【図２】
0003168293.tif 000004
【図３】
0003168293.tif 000005
【図４】
0003168293.tif 000006
【図５】
0003168293.tif 000007
【図６】
0003168293.tif 000008
【図７】
0003168293.tif 000009
【図８】
0003168293.tif 000010
【手続補正書】
【提出日】平成23年3月28日(2011.3.28)
【手続補正１】
【補正対象書類名】実用新案登録請求の範囲
【補正対象項目名】全文
【補正方法】変更
【補正の内容】
【実用新案登録請求の範囲】
【請求項１】
湾曲したり伸びたりするように形成された帯状の波状弾性部と、
前記波状弾性部の両端にそれぞれ形成された接合部と、
前記波状弾性部の長手方向に沿って該波状弾性部上に形成された頭髪を挿入する挟持孔とを有することを特徴とする調髪具。
【請求項２】
前記波状弾性部の一端の前記接合部に係合片が形成され、他端の前記接合部に、前記係合片に対応するように穿孔が形成され、前記穿孔には、フック溝が設けられることを特徴とする請求項１に記載の調髪具。
【請求項３】
前記波状弾性部の両端の前記各接合部には、互いに係合可能な係合部が形成されていることを特徴とする請求項１に記載の調髪具。
【手続補正２】
【補正対象書類名】明細書
【補正対象項目名】０００７
【補正方法】変更
【補正の内容】
【０００７】
上記課題を解決するために、本考案の第１の形態によれば、湾曲したり伸びたりするように形成された帯状の波状弾性部と、前記波状弾性部の両端にそれぞれ形成された接合部と、前記波状弾性部の長手方向に沿って該波状弾性部上に形成された頭髪を挿入する挟持孔とを有することを特徴とする調髪具が提供される。
【手続補正３】
【補正対象書類名】明細書
【補正対象項目名】０００８
【補正方法】変更
【補正の内容】
【０００８】
また、前記波状弾性部の一端の前記接合部に係合片が形成され、他端の前記接合部に、前記係合片に対応するように穿孔が形成され、前記穿孔には、フック溝が設けられることが好ましい。
【手続補正４】
【補正対象書類名】明細書
【補正対象項目名】０００９
【補正方法】変更
【補正の内容】
【０００９】
また、波状弾性部の両端の前記各接合部には、互いに係合可能な係合部が形成されていることが好ましい。
【手続補正５】
【補正対象書類名】明細書
【補正対象項目名】００１１
【補正方法】変更
【補正の内容】
【００１１】
【図１】本考案の一実施形態による調髪具を示す斜視図である。
【図２】本考案の一実施形態による調髪具の挟持孔に頭髪を挿入したときの状態を示す斜視図である。
【図３】本考案の一実施形態による調髪具で頭髪を巻き上げるときの状態を示す斜視図である。
【図４】本考案の一実施形態による調髪具の使用状態を示す斜視図である。
【図５】本考案の一実施形態による調髪具の使用状態を示す斜視図である。
【図６】本考案の一実施形態による調髪具を使用するときの状態を示す断面図である。
【図７】本考案の一実施形態による調髪具の使用状態を示す斜視図である。
【図８】本考案の他の実施形態による調髪具を示す斜視図である。
【手続補正６】
【補正対象書類名】明細書
【補正対象項目名】００１２
【補正方法】変更
【補正の内容】
【００１２】
図１を参照する。図１に示すように、本考案の一実施形態による調髪具１の両端には、接合部１１，１２が形成されている。接合部１１の末端には、係合片１１１が形成されている。接合部１２上には、係合片１１１に対応するように穿孔１２１が形成されている。穿孔１２１の側辺には、接合部１１を接合部１２に固定するためのフック溝１２２が設けられている。接合部１１と接合部１２との間には、湾曲したり伸びたりし必要な形状になる波状弾性部１３が設けられている。波状弾性部１３上には、頭髪を挿入する挟持孔１４が、センターラインに沿うように開設されている。
【手続補正７】
【補正対象書類名】明細書
【補正対象項目名】００１３
【補正方法】変更
【補正の内容】
【００１３】
図２を参照する。図２に示すように、本考案の一実施形態による調髪具を実際に使用するとき、まず、調髪具１の挟持孔１４に束ねる頭髪の毛先を挿入する。図３を参照する。図３に示すように、調髪具１で頭髪を巻きながら後頭部まで上げる。図４〜図６を参照する。図４〜図６に示すように、調髪具１の波状弾性部１３を湾曲させ、接合部１２の穿孔１２１に、接合部１１の係合片１１１を挿入させ、フック溝１２２に係合させて固定すると、頭髪を束ねることができる。さらに、調髪具１上で頭髪を平均的に整えると、シニヨンを作ることができる。波状弾性部１３は、波状をなし、頭髪との間の摩擦力を増加させ、髪型が緩まないように安定させることができる。
【手続補正８】
【補正対象書類名】明細書
【補正対象項目名】００１４
【補正方法】変更
【補正の内容】
【００１４】
図７を参照する。図７に示すように、束ねる頭髪の外側に調髪具１の波状弾性部１３を湾曲させて巻き付け、接合部１１を接合部１２に係合させると、ポニーテールを作ることができる。波状弾性部１３は、頭髪の量に応じて変形するため、スタイリングを行うに便利である。図８を参照する。図８に示すように、本考案の他の実施形態による調髪具は、調髪具１の両側に形成される接合部１５が、互いに対応し係合される係合部である。
【手続補正９】
【補正対象書類名】明細書
【補正対象項目名】００１５
【補正方法】変更
【補正の内容】
【００１５】
上述したことから分かるように、本考案の調髪具は、以下（１）〜（５）の長所を有する。
（１）調髪具の両端には、互いに対応し、係合される接合部がそれぞれ形成され、接合部の間には、湾曲したり伸びたりする波状弾性部が設けられ、波状弾性部上には、頭髪を挿入する挟持孔が開設されているため、頭髪を束ねスタイリングを行うのに便利である。
（２）使用する際、調髪具の挟持孔に束ねる頭髪の毛先を挿入し、調髪具で頭髪を巻きながら後頭部まで上げて固定すると、必要な髪型を作ることができ、操作及びスタイリングを手軽に行うことができる。
（３）調髪具は、一端の接合部に係合片が形成され、他方の端の接合部に、対応するように穿孔が形成され、穿孔にフック溝が設けられていることにより、ユーザが両端を係合させ固定するのに便利である。
（４）波状弾性部は、湾曲したり伸びたりするばかりでなく、頭髪との間の摩擦力を増加させるため、髪型が緩まないように安定させることができる。
（５）波状弾性部は、頭髪の量に応じて湾曲させたり伸ばしたりし、変形させることができるため、便利にスタイリングすることができる。
【手続補正１０】
【補正対象書類名】明細書
【補正対象項目名】００１７
【補正方法】変更
【補正の内容】
【００１７】
１  調髪具
１１  接合部
１２  接合部
１３  波状弾性部
１４  挟持孔
１５  接合部
１１１  係合片
１２１  穿孔
１２２  フック溝